(57)【要約】【課題】予め定められた条件を満たす放送番組のセルを選択したときには、通常の強調表示とは異なる表示形態の強調表示により、選択したセルを強調する電子番組表表示装置を提供する【解決手段】本発明に係る電子番組表表示装置１００は、選択された番組セルの示す放送番組に対応する番組情報が予め定められたの条件を満たすか否かを判定する判定部１１１と、所定の条件を満たす場合には、選択された番組セルに対して、予め定められたを満たさない場合に設定する表示形態とは異なる表示形態の強調表示を設定する強調表示設定部１１２とを備えている。【選択図】図１
2011078048.tif 000002
【特許請求の範囲】
【請求項１】
番組情報から生成される表示用番組情報を配列してなる電子番組表を表示部に表示する電子番組表表示装置であって、
操作入力デバイスを介してユーザーにより選択された表示用番組情報に対して強調表示を設定する強調表示設定手段を備えており、
上記強調表示設定手段は、上記選択された表示用番組情報に対応する番組情報が予め定められた条件を満たす場合、当該選択された表示用番組情報に対して、当該予め定められた条件を満たさない場合に設定する表示形態とは異なる表示形態の強調表示を設定することを特徴とする電子番組表表示装置。
【請求項２】
上記番組情報は、放送番組の放送される放送時刻を含み、
上記予め定められた条件を満たす場合とは、上記選択された表示用番組情報に対応する番組情報に含まれる放送時刻が、現在時刻を含む場合であることを特徴とする請求項１に記載の電子番組表表示装置。
【請求項３】
上記番組情報は、放送番組の放送される放送時刻を含み、
上記予め定められた条件を満たす場合とは、上記選択された表示用番組情報に対応する番組情報に含まれる放送時刻が、録画または視聴予約の設定されている放送番組の録画または視聴開始時刻を含む場合であることを特徴とする請求項１または２に記載の電子番組表表示装置。
【請求項４】
上記強調表示設定手段は、上記選択された表示用番組情報に加えて、上記録画または視聴予約の設定されている放送番組を表す表示用番組情報に対しても強調表示を設定することを特徴とする請求項３に記載の電子番組表表示装置。
【請求項５】
上記番組情報は、放送番組の放送される放送時刻を含み、
上記予め定められた条件を満たす場合とは、上記選択された表示用番組情報に対応する番組情報に含まれる放送時刻に基づく放送時間が、所定の時間よりも短い場合であることを特徴とする請求項１から４のいずれか１項に記載の電子番組表表示装置。
【請求項６】
上記番組情報は、放送番組のジャンルを特定するジャンル情報を含み、
上記予め定められた条件を満たす場合とは、上記選択された表示用番組情報に対応する番組情報に含まれるジャンル情報が、予め登録されているジャンル情報に一致する場合であることを特徴とする請求項１から５のいずれか１項に記載の電子番組表表示装置。
【請求項７】
上記予め定められた条件を満たす場合とは、上記選択された表示用番組情報に対応する番組情報が、キーワードとして予め登録されている文字情報を含む場合であることを特徴とする請求項１から６のいずれか１項に記載の電子番組表表示装置。
【請求項８】
番組情報から生成される表示用番組情報を配列してなる電子番組表を表示部に表示する電子番組表の表示方法であって、
操作入力デバイスを介してユーザーにより選択された表示用番組情報に対する強調表示を設定する強調表示設定ステップを含み、
上記強調表示設定ステップでは、上記選択された表示用番組情報に対応する番組情報が予め定められた条件を満たす場合、当該選択された表示用番組情報に対して、当該予め定められた条件を満たさない場合に設定する表示形態とは異なる表示形態の強調表示を設定することを特徴とする表示方法。
【請求項９】
請求項１から７のいずれか１項に記載の電子番組表表示装置を備えていることを特徴とするテレビジョン受像機。
【請求項１０】
請求項１から７のいずれか１項に記載の電子番組表表示装置が備えているコンピュータを動作させるプログラムであって、上記コンピュータを上記の手段として機能させるためのプログラム。
【請求項１１】
請求項１０に記載のプログラムを記録しているコンピュータ読み取り可能な記録媒体。
【発明の詳細な説明】
【技術分野】
【０００１】
本発明は、放送番組に関する情報を一覧表示する電子番組表を表示する電子番組表表示装置に関する。
【背景技術】
【０００２】
デジタル放送による放送番組を視聴できるテレビジョン受像機（以下、単にテレビとも称する）では、自装置において、放送番組に関する情報（例えば、放送局、放送時刻、出演者、番組概要など）を一覧表示する電子番組表の表示機能を有している。
【０００３】
電子番組表は、例えば、チャンネル（放送局）を表すセルが横方向に配列されており、時刻を表すセルが縦方向に配列されている。そして、ある放送局により放送される放送番組を表すセルが、当該放送番組の放送される放送局に対応するセルと、当該放送番組の放送される時刻に対応するセルとが交差する位置に配置されている。
【０００４】
また、電子番組表では、処理対象となる放送番組が選択された場合、選択された放送番組を表すセルを強調して表示する（例えば、セルの色を変更するなど）ことにより、ユーザーに対して、処理対象となるセル（ユーザーが選択しているセル）がいずれであるのかを通知することもできる。
【０００５】
しかし、近年のデジタル放送の拡大、マルチネットワーク化、マルチチャンネル化に伴って、電子番組表上に表示される放送番組の数および情報量が増大している。また、テレビの表示ディスプレイの大型化により、表示ディスプレイ上に表示される電子番組表の表示サイズも大きくなっている。
【０００６】
このように、電子番組表の表示サイズが大型化する中で、電子番組表上に表示される放送番組の数および情報量が多くなると、ユーザーは、自身の選択している放送番組がいずれであるのかを容易に判別することが難しくなる。
【０００７】
また、逆に携帯電話などのワンセグ放送の受信機のように、表示ディスプレイが小型である場合であっても、電子番組表に表示される放送番組の数および情報量が多くなると、同様の問題が生じる。
【０００８】
特許文献１には、ユーザーの選択しているセルをスポットライト効果により強調することにより、ユーザーが選択しているセルを判別し易くする技術が開示されている。また、特許文献２には、ユーザーがリモコンの所定のボタンを所定の時間以上押下した場合に、選択しているセルを明滅させることにより、選択しているセルを判別し易くする技術が開示されている。
【先行技術文献】
【特許文献】
【０００９】
【特許文献１】特表２００８−５２７８０７号公報（公表日：２００８年７月２４日）
【特許文献２】特開２００８−１０９２９６号公報（公開日：２００６年５月８日）
【発明の概要】
【発明が解決しようとする課題】
【００１０】
しかし、特許文献１および２に開示されている技術では、選択しているセル自体の判別は容易になるものの、選択しているセルがどのような放送番組であるのかについては依然として判別し難いという問題を有している。
【００１１】
本発明は、上記の問題点に鑑みてなされたものであり、その主たる目的は、所定の放送番組のセルを選択したときには、通常の強調表示の表示形態とは異なる表示形態で放送番組のセルを強調表示する電子番組表表示装置を提供することにある。
【課題を解決するための手段】
【００１２】
本発明に係る電子番組表表示装置では、上記課題を解決するために、
番組情報から生成される表示用番組情報を配列してなる電子番組表を表示部に表示する電子番組表表示装置であって、
操作入力デバイスを介してユーザーにより選択された表示用番組情報に対して強調表示を設定する強調表示設定手段を備えており、
上記強調表示設定手段は、上記選択された表示用番組情報に対応する番組情報が予め定められた条件を満たす場合、当該選択された表示用番組情報に対して、当該予め定められた条件を満たさない場合に設定する表示形態とは異なる表示形態の強調表示を設定することを特徴としている。
【００１３】
本発明に係る電子番組表表示装置では、選択された表示用番組情報を示す番組情報が予め定められた条件を満たす場合、選択された表示用番組情報に対して、予め定められた条件を満たさない場合に設定する表示形態とは異なる表示形態の強調表示を設定する。
【００１４】
このように、本発明に係る電子番組表表示装置では、選択された表示用番組情報に対応する番組情報が予め定められた条件を満たす場合には、通常の強調表示とは異なる強調表示により、選択されている表示用番組情報をユーザーに通知する。
【００１５】
これによって、本発明に係る電子番組表表示装置では、所定の表示用番組情報を選択したとき、すなわち予め定められた所定の条件を満たす番組情報から生成される表示用番組情報を選択したときには、通常の強調表示の表示形態とは異なる表示形態で表示用番組情報を強調することができる効果を奏する。
【００１６】
本発明に係る電子番組表表示装置では、さらに、上記番組情報は、放送番組の放送される放送時刻を含み、上記予め定められた条件を満たす場合とは、上記選択された表示用番組情報を示す番組情報に含まれる放送時刻が、現在時刻を含む場合であることが好ましい。
【００１７】
上記の構成によれば、予め定められた条件を満たす場合とは、選択された表示用番組情報の表す放送番組が現在視聴できる場合である。すなわち、強調表示設定手段は、選択されている表示用番組情報の表す放送番組を現在視聴できる場合には、他の表示用番組情報対して設定する強調表示とは異なる表示形態の強調表示を設定する。
【００１８】
これによって、本発明に係る電子番組表表示装置では、ユーザーにより選択された表示用番組情報の表す放送番組が、現在視聴できる放送番組であるのか否かを容易に識別することができる効果を奏する。
【００１９】
本発明に係る電子番組表表示装置では、さらに、上記番組情報は、放送番組の放送される放送時刻を含み、上記予め定められた条件を満たす場合とは、上記選択された表示用番組情報を示す番組情報に含まれる放送時刻が、録画または視聴予約の設定されている放送番組の録画または視聴開始時刻を含む場合であることが好ましい。
【００２０】
上記の構成によれば、予め定められた条件を満たす場合とは、選択された表示用番組情報の表す放送番組の放送時刻が、録画または視聴予約の設定されている放送番組の録画または視聴開始時刻を含む場合である。すなわち、強調表示設定手段は、選択された表示用番組情報の表す放送番組を録画あるいは視聴予約しようとしたときに予約の重複が生じる場合には、他の表示用番組情報とは異なる表示形態の強調表示を設定する。
【００２１】
これによって、本発明に係る電子番組表表示装置では、ユーザーにより選択された表示用番組情報の表す放送番組を録画あるいは視聴予約する際に、予約の重複が生じるか否かを容易に判別することができる効果を奏する。
【００２２】
本発明に係る電子番組表表示装置では、さらに、上記強調表示設定手段は、上記選択された表示用番組情報に加えて、上記録画または視聴予約の設定されている放送番組を表す表示用番組情報に対しても強調表示を設定することが好ましい。
【００２３】
上記の構成によれば、強調表示設定手段では、予約の重複が生じる場合に、現在選択されている表示用番組情報に加えて、予約設定の重複する表示用番組情報に対しても強調表示を設定する。
【００２４】
これによって、本発明に係る電子番組表表示装置では、現在選択されている表示用番組情報の表す放送番組を録画あるいは視聴予約する際に、どの放送番組の録画あるいは視聴予約と予約が重複するのかを容易に認識することができる効果を奏する。
【００２５】
本発明に係る電子番組表表示装置では、さらに、上記番組情報は、放送番組の放送される放送時刻を含み、上記予め定められた条件を満たす場合とは、上記選択された表示用番組情報を示す番組情報に含まれる放送時刻に基づく放送時間が、所定の時間よりも短い場合であることが好ましい。
【００２６】
上記の構成によれば、予め定められた条件を満たす場合とは、選択された表示用番組情報の表す放送番組の放送時間が所定の時間より短い場合である。すなわち、強調表示設定手段は、選択された表示用番組情報の表示サイズが所定のサイズよりも小さいときに、他の表示用番組情報に対して設定する強調表示とは異なる表示形態の強調表示を設定する。
【００２７】
これによって、本発明に係る電子番組表表示装置では、表示サイズの小さい表示用番組情報であったとしても、ユーザーは現在選択している表示用番組情報を容易に認識することができる効果を奏する。
【００２８】
本発明に係る電子番組表表示装置では、さらに、上記番組情報は、放送番組のジャンルを特定するジャンル情報を含み、上記予め定められた条件を満たす場合とは、上記選択された表示用番組情報を示す番組情報に含まれるジャンル情報が、予め登録されているジャンル情報に一致する場合であることが好ましい。
【００２９】
上記の構成によれば、予め定められた条件を満たす場合とは、選択された表示用番組情報の表す放送番組のジャンル情報が、予め登録されているジャンル情報に一致する場合である。すなわち、強調表示設定手段は、ユーザーにより選択されている表示用番組情報の表す放送番組のジャンル情報が所定のジャンル情報であるときに、他の表示用番組情報に対して設定する強調表示とは異なる表示形態の強調表示を設定する。
【００３０】
これによって、本発明に係る電子番組表表示装置では、ユーザーは、現在選択されている表示用番組情報のジャンルが所定のジャンルであるのか否かについて容易に判別することができる効果を奏する。
【００３１】
したがって、例えば、ユーザーは、お気に入りジャンルとして登録されているジャンルの放送番組を、電子番組表上で表示用番組情報を選択するのみで確認することができる。
【００３２】
本発明に係る電子番組表表示装置では、さらに、上記予め定められた条件を満たす場合とは、上記選択された表示用番組情報に対応する番組情報が、キーワードとして予め登録されている文字情報を含む場合であることが好ましい。
【００３３】
上記の構成によれば、予め定められた条件を満たす場合とは、選択された表示用番組情報に対応する番組情報が、キーワードとして予め登録されている文字情報を含む場合である。すなわち、強調表示設定手段は、ユーザーにより選択されている表示用番組情報に対応する番組情報に、所定のキーワードが含まれている場合には、他の表示用番組情報に対して設定する強調とは異なる表示形態の強調表示を設定する。
【００３４】
これによって、本発明に係る電子番組表表示装置では、ユーザーは、所定のキーワードの含まれる番組情報から生成される表示用番組情報を容易に認識することができる効果を奏する。
【００３５】
したがって、例えば、ユーザーは、自身がピックアップしたい放送番組（いわゆる、オススメ番組として通知を所望する放送番組）を、電子番組表上で表示用番組情報を選択するのみで確認することができる。
【００３６】
本発明に係る電子番組表表示装置における表示方法は、上記課題を解決するために、
番組情報から生成される表示用番組情報を配列してなる電子番組表を表示部に表示する電子番組表の表示方法であって、
操作入力デバイスを介してユーザーにより選択された表示用番組情報に対する強調表示を設定する強調表示設定ステップを含み、
上記強調表示設定ステップでは、上記選択された表示用番組情報に対応する番組情報が予め定められた条件を満たす場合、当該選択された表示用番組情報に対して、当該予め定められた条件を満たさない場合に設定する表示形態とは異なる表示形態の強調表示を設定することを特徴としている。
【００３７】
上記の構成によれば、本発明に係る電子番組表表示装置と同様の作用効果を奏する。
【００３８】
また、本発明に係る電子番組表表示装置を備えたテレビジョン受像機も本発明に範疇に含まれる。
【００３９】
さらに、本発明に係る電子番組表表示装置を動作させるためのプログラムであって、コンピュータを上記の手段として機能させることを特徴とするプログラム、および、そのプログラムを記録したコンピュータ読み取り可能な記録媒体も本発明の範疇に含まれる。
【発明の効果】
【００４０】
以上説明したように、本発明に係る電子番組表表示装置では、選択された表示用番組情報に対応する番組情報が予め定められた条件を満たす場合、選択された表示用番組情報に対して、予め定められたを満たさない場合に設定する表示形態とは異なる表示形態の強調表示を設定する強調表示設定手段を備えている。
【００４１】
このように、本発明に係る電子番組表表示装置では、選択された表示用番組情報に対応する番組情報が予め定められた条件を満たす場合には、ユーザーに対して、通常の強調表示とは異なる強調表示により、表示用番組情報を通知する。
【００４２】
これによって、本発明に係る電子番組表表示装置では、ユーザーが予め定められた条件を満たす番組情報から生成される表示用番組情報を選択したときには、通常とは異なる表示形態で放送番組情報を強調表示することができる効果を奏する。
【図面の簡単な説明】
【００４３】
【図１】本発明に係る電子番組表表示装置の要部構成を示す機能ブロック図である。
【図２】本発明に係る電子番組表表示装置において表示される電子番組表（ＥＰＧ）の一例を模式的に示す図である。
【図３】本発明に係る電子番組表表示装置において設定される特別強調表示の表示形態の具体例を示す図であり、（ａ）は番組セルに表示される文字がスクロールするアニメーションを示しており、（ｂ）は番組セルの色の変化を示しており、（ｃ）は番組セルのセルサイズの拡大を示しており、（ｄ）は番組セル中へのアニメーションの重畳を示しており、（ｅ）は番組セル近傍へのアニメーションの重畳を示しており、（ｆ）は番組セル近傍へのアニメーションの重畳の他の例を示している。
【図４】本発明に係る電子番組表表示装置において予約開始時刻を含む時刻に放送される放送番組を選択したときの特別強調表示の表示形態を示す図であり、（ａ）は番組セルの色の設定を変更する表示形態であり、（ｂ）はアイコンを表示する表示形態である。
【図５】本発明に係る電子番組表表示装置において予約開始時刻を含む時刻に放送される放送番組を選択したときの特別強調表示の表示形態の他の例を示す図である。
【図６】本発明に係る電子番組表表示装置を備えたテレビジョン受像機の要部構成を示すブロック図である。
【発明を実施するための形態】
【００４４】
本発明に係る電子番組表表示装置の一実施形態について、図１〜図６を参照して以下に説明する。本実施形態では、本発明に係る電子番組表表示装置の説明に先立って、電子番組表（以下、ＥＰＧとも称する）について、図２を参照しつつ説明する。図２は、電子番組表（ＥＰＧ）の一例を模式的に示す図である。
【００４５】
本実施形態において、ＥＰＧは、図２に示すように、チャンネル（あるいは放送局名）を表すチャンネルセルが横方向に配列されており、時刻を表す時刻セルが縦方向に配列されている。そして、放送番組を表す番組セルは、その放送番組の放送されるチャンネル列の放送される時刻に配置される。
【００４６】
このようなＥＰＧは、放送波またはネットワークを介して取得するＥＰＧデータに基いて作成される。ＥＰＧデータには、複数の番組情報が含まれている。すなわち、電子番組表表示装置では、取得したＥＰＧデータに含まれる番組情報に基づいて、番組セルを作成する。また、番組情報には、番組のタイトル、放送時刻、放送チャンネル、番組出演者あるいは番組製作者に関する情報、番組の概要、番組のジャンルを特定するジャンル情報などの情報が含まれている。
【００４７】
さらに、本実施形態において、ＥＰＧでは、ユーザー操作により選択される番組セルを、現在選択していることが把握しやすいように強調表示する。図２では、「ＰＭ６時」から「チャンネル３」において放送が開始される「情報ニュース」を選択している場合を示している。図２には、選択されている番組セルの色を他の番組セルとは異なる色として強調する場合を例に挙げて説明している。
【００４８】
なお、ユーザー操作により、選択されている番組セルが「情報ニュース」の左側に位置する「Ｎ２タイム」になった場合には、「Ｎ２タイム」の番組セルの色を他の番組セルとは異なる色として強調する。すなわち、「情報ニュース」の番組セルの色は、「Ｎ２タイム」の番組セルを除く番組セルの色と同色に戻る。
【００４９】
図２では、チャンネルセルが横方向に配列されており、時刻セルが縦方向に配列されているＥＰＧを例に挙げて図示しているが、もちろんこれに限定されるものではない。チャンネルセルの配列方向と時刻セルの配列方向とは逆であってもよい。また、ユーザー操作により、チャンネルセルの配列方向と時刻セルの配列方向とが変更可能であってもよい。
【００５０】
次に、本実施形態に係る電子番組表表示装置の構成について、図１を参照しつつ以下に説明する。図１は、電子番組表表示装置１００の要部構成を示すブロック図である。
【００５１】
（電子番組表表示装置１００の構成）
図１に示すように、電子番組表表示装置１００は、制御部１１０、ＥＰＧ処理部１２０、設定情報管理部１３０、タイマー１４０および操作入力受付部１５０を備えている。なお、表示部２００は、電子番組表表示装置１００を構成する部材ではないが、便宜上、図１に図示している。電子番組表表示装置１００を構成する各部材について、以下に詳細に説明する。
【００５２】
（制御部１１０）
制御部１１０は、電子番組表表示装置１００における電子番組表（以下、ＥＰＧと称する）の表示処理全般を処理する。制御部１１０は、判定部１１１および強調表示設定部１１２を備えている。
【００５３】
判定部１１１は、操作入力受付部１５０を介したユーザー操作により選択された放送番組を表す番組情報と、設定情報管理部１３０またはタイマー１４０から取得される情報とを比較することにより、番組情報が所定の条件を満たすか否かを判定する。判定部１１１における判定に用いられる情報については下記に詳述するため、ここではその説明を省略する。なお、制御部１１０は、ユーザーに選択された放送番組の番組情報を、ＥＰＧデータを記録している記憶部（不図示）から取得すればよい。
【００５４】
強調表示設定部１１２は、ユーザーに選択された放送番組の番組セルに対する強調表示を設定する。ただし、判定部１１１において、選択された放送番組が所定の条件を満たす場合には、強調表示設定部１１２は特別な表示形態の強調表示を設定する。
【００５５】
ここで、本明細書等において、選択された放送番組が所定の条件を満たさない場合に設定される強調表示を通常強調表示と称し、選択された放送番組が所定の条件を満たす場合に設定される強調表示を特別強調表示と称する。また、単に強調表示と称する場合には、双方を含むことを意味するものとする。
【００５６】
通常強調表示は、例えば、選択されている番組セルの色を、選択されていない番組セルの色と異なる色に設定する強調表示を挙げることができる。このとき、番組セルの全体の色を変更するようにしてもよいし、番組セルをの外枠部分のみの色を変更するようにしてもよい。特別強調表示の具体例については、下記に詳述するため、ここではその説明を省略する。
【００５７】
また、通常強調表示および特別強調表示のいずれであっても、強調表示設定部１１２において設定される強調表示は、不図示の強調表示管理部に予め記録されたものである。なお、選択されている番組セルに対してどのような表示形態の強調表示を設定するのかについては、ユーザーにより適宜設定できるようにしてもよいし、電子番組表表示装置１００において固定されていてもよい。
【００５８】
（ＥＰＧ処理部１２０）
ＥＰＧ処理部１２０は、外部より取得したＥＰＧデータに基いて生成したＥＰＧに対して、制御部１１０において設定された強調表示を施したＥＰＧを生成する。そして、生成したＥＰＧを表示部２００に表示する。
【００５９】
（設定情報管理部１３０）
設定情報管理部１３０は、電子番組表表示装置１００における設定情報を記憶する記憶部である。設定情報管理部１３０において管理されている設定情報としては、例えば、放送番組の予約設定情報（視聴予約設定情報および録画予約設定情報）、お気に入り設定されているジャンル情報、およびキーワードとして設定されている文字情報を挙げることができる。
【００６０】
これらの情報は、別々の記憶部に記録されていてもよいし、１つの記憶部においてそれぞれの情報を記憶する領域が設けられており、その領域に記憶されていてもよい。
【００６１】
なお、本実施形態では、設定情報管理部１３０が電子番組表表示装置１００の構成部材である場合を例に挙げて説明しているが、もちろんこれに限定されるものではない。すなわち、設定情報を管理する記憶部は、電子番組表表示装置１００の外部に設けられており、電子番組表表示装置１００が適宜設定情報を取得するようにしてもよい。
【００６２】
（タイマー１４０）
タイマー１４０は、時刻をカウントする時計である。タイマー１４０についても、設定情報管理部１３０と同様に、電子番組表表示装置１００の外部に設けられていてもよい。
【００６３】
（操作入力受付部１５０）
操作入力受付部１５０は、操作入力デバイスを介して入力されるユーザーからの操作を受ける。例えば、操作入力デバイスがリモコンであり、ユーザーがリモコンの「上」を押下した場合、リモコンから送信される「上」に相当する入力信号を受け付けると共に、「上」に相当する入力信号を制御部１１０に対して通知する。
【００６４】
電子番組表表示装置１００は、操作入力受付部１５０において受け付けられた入力信号に基づいて、現在選択されている番組セルを把握する。
【００６５】
なお、操作入力デバイスはリモコンに限定されるものではなく、電子番組表表示装置１００に対してユーザー操作に基づいた入力信号を入力可能なものであれば特に限定されるものではない。
【００６６】
（表示部２００）
表示部２００は、映像を表示する表示ディスプレイである。表示部２００は、映像を表示することができるものであれば特に限定されるものではない。例えば、液晶ディスプレイ、有機ＥＬディスプレイまたはプラズマディスプレイなどを挙げることができる。
【００６７】
（特別強調表示の例）
次に、強調表示設定部１１２において設定される特別強調表示の具体例について、図３（ａ）〜（ｆ）を参照して以下に説明する。図３（ａ）〜（ｆ）は、電子番組表表示装置１００において設定される特別強調表示の表示形態の例を示す図であり、（ａ）は番組セルに表示される文字がスクロールするアニメーションを示しており、（ｂ）は番組セルの色の変化を示しており、（ｃ）は番組セルのセルサイズの拡大を示しており、（ｄ）は番組セル中へのアニメーションの重畳を示しており、（ｅ）は番組セルの近傍へのアニメーションの重畳を示しており、（ｆ）は番組セルの近傍へのアニメーションの重畳の他の例を示している。
【００６８】
このように、強調表示設定部１１２では、番組情報が所定の条件を満たす場合には、図３（ａ）〜（ｆ）に示したような特別強調表示の少なくともいずれかを番組セルに対して設定する。強調表示設定部１１２において設定される特別強調表示の表示形態は、図３（ａ）〜（ｆ）に示す表示形態のいずれであってもよい。
【００６９】
また、複数の表示形態を組み合わせたものであってもよい。例えば、図３（ａ）に示す表示形態と、図３（ｅ）に示す表示形態とを組み合わせることにより、番組セルの近傍にアニメーションを重畳させつつ、番組セルに表示される文字をスクロールするようにしてもよいし、図３（ｂ）に示す表示形態と図３（ｃ）に示す表示形態とを組み合わせることにより、番組セルのセルサイズを拡大しつつ、番組セルの色が変化するようにしてもよい。
【００７０】
（所定の条件１：現在時刻）
ここで、電子番組表表示装置１００において特別強調表示を設定するために満たす条件の詳細を説明すると共に、当該条件を満たした際に設定される特別強調表示の例を説明する。
【００７１】
まず、所定の条件を満たす場合が、選択された番組セルの放送番組の放送時刻が現在時刻を含む場合について説明する。なお、選択された番組セルの放送番組の放送時刻が現在時刻を含む場合とは、選択された番組セルの放送番組が現在視聴可能な放送番組である場合と換言することができる。
【００７２】
この場合、判定部１１１は、ユーザーにより選択された番組セルの放送番組を表す番組情報を不図示の記憶部より取得する。続いて、判定部１１１は、取得した番組情報に含まれる放送時刻と、タイマー１４０から取得した現在時刻とを比較することにより、選択された番組セルの放送番組の放送時刻が現在時刻を含むか否かを判定する。そして、判定部１１１において選択された番組セルの放送番組の放送時刻が現在時刻を含むと判定された場合、強調表示設定部１１２は、選択された番組セルに対して特別強調表示を設定する。
【００７３】
この場合の特別強調表示の表示形態としては、例えば、選択されている番組セルを番組セルの選択カーソルと同色（例えば、オレンジ色）で明滅させるような表示形態を挙げることができる。明滅させる時間は、電子番組表表示装置１００において予め設定されている固定値であってもよいし、ユーザーにより設定される任意の値であってもよい。
【００７４】
このように、電子番組表表示装置１００では、現在視聴が可能な放送番組を選択したときには、通常とは異なる表示形態の強調表示がなされるため、ユーザーは選択している放送番組が現在視聴できる放送番組であるのか否かを容易に識別することができる。
【００７５】
また、電子番組表表示装置１００は、選択されている番組セルの放送番組の放送時刻が現在時刻を含まない場合にも特別強調表示を設定するようにしてもよい。ただし、この場合には、設定する特別強調表示の表示形態は、選択されている番組セルの放送番組の放送時刻が現在時刻を含む場合の表示形態とは異なるように設定する。
【００７６】
例えば、強調表示設定部１１２は、放送番組の放送時刻が現在時刻よりも前である場合、すなわち既に放送が終了してる放送番組の番組セルを灰色となるように設定する。また、強調表示設定部１１２は、放送番組の放送時刻が現在時刻よりも後である場合、すなわち放送が開始される前の放送番組の番組セルは、セルの色をパステルカラー（通常よりも淡い色）に設定するようにしてもよい。なお、セルの色の設定の変化は、選択されている番組セルを変更するまで永続してもよいし、一定時間であってもよい。
【００７７】
このように、既に放送が終了した放送番組あるいはこれから放送される放送番組に対しても特別強調表示を設定する場合には、これらの放送番組を選択した際に、既に放送が終了しているか否か、これから放送される放送番組であるのか否かについても容易に識別することができる。
【００７８】
（所定の条件２：予約設定の有無）
次に、所定の条件を満たす場合が、予約設定されている放送番組の予約開始時刻を含む場合について説明する。
【００７９】
一般的に、電子番組表表示装置を備えたテレビなどでは、既に予約設定されている放送番組の放送時刻に重なる放送番組を予約しようとした場合、予約設定が重複しないように警告画面などが表示される。しかし、従来の電子番組表表示装置では、放送番組の選択の段階で予約設定が重複することを把握できないため、予約設定の重複の認識が煩わしいという問題がある。
【００８０】
この問題を解決するために、本実施形態に係る電子番組表表示装置１００では、判定部１１１は、ユーザーにより選択された番組セルの放送番組を表す番組情報を不図示の記憶部より取得する。続いて、判定部１１１は、取得した番組情報に含まれる放送時刻と、設定情報管理部１３０から取得した予約設定情報に含まれる予約開始時刻とを比較することにより、選択された番組セルの放送番組の放送時刻が予約開始時刻を含むか否かを判定する。そして、判定部１１１において選択された番組セルの放送番組の放送時刻が予約開始時刻を含むと判定された場合、強調表示設定部１１２は、選択された番組セルに対して特別強調表示を設定する。
【００８１】
この場合の特別強調表示の表示形態としては、例えば、図４（ａ）に示すように、選択されている番組セルの色を、一定時間、通常強調表示による設定とは別の色とするような表示形態を挙げることができる。また、図４（ｂ）に示すように、予約設定がされていることを示すアイコンを一定時間表示するような表示形態としてもよい。図４（ａ）および（ｂ）は、予約開始時刻を含む時刻に放送される放送番組を選択したときの特別強調表示の表示形態を示す図であり、（ａ）は番組セルの色の設定を変更する表示形態であり、（ｂ）はアイコンを表示する表示形態である。
【００８２】
この場合であっても、セルの色を変更する時間およびアイコンを表示する時間は、電子番組表表示装置１００において予め設定されている固定値であってもよいし、ユーザーにより設定される任意の値であってもよい。
【００８３】
このように、電子番組表表示装置１００では、予約開始時刻を含む時刻に放送される放送番組を選択したときには、通常とは異なる表示形態の強調表示（予約設定されていることを通知する強調表示）がなされるため、ユーザーは選択している放送番組が放送される時刻に予約設定されている放送番組があることを容易に認識することができる。
【００８４】
また、特別強調表示による番組セルの色は、視聴予約と録画予約とで異なる色とするようにしてもよい。例えば、視聴予約の場合には、番組セルを水色に設定し、録画予約の場合には、番組セルを青色に設定するようにすればよい。また、図４（ｂ）に示すようなアイコンも、視聴予約の場合と録画予約の場合とで異なるアイコンを用いるようにしてもよい。これによって、ユーザーは、設定されている予約設定が録画予約であるのか、あるいは視聴予約であるのかについても容易に識別することができる。
【００８５】
さらに、予約開始時刻を含む時刻に放送される放送番組を選択したときに、選択している番組セルに加えて、予約設定されている放送番組の番組セルに対しても特別強調表示を設定するようにしてもよい。
【００８６】
例えば、図５に示すように、ユーザーがチャンネル１の「情報ニュース」の番組セルを選択した際に、「情報ニュース」の放送時刻が予約設定されているチャンネル２の「ドラマ」の放送時刻に含まれる場合、「情報ニュース」の番組セルの色の設定を変更するだけでなく、「ドラマ」の番組セルの色の設定も併せて変更する。
【００８７】
このとき、「ドラマ」の番組セルの色は、「情報ニュース」の番組セルにおける特別強調表示の色と同一であってもよいし、異なっていてもよい。
【００８８】
これによって、ユーザーは、選択した放送番組の放送時刻に予約設定されている放送番組がいずれであるのかについても併せて認識することができる。
【００８９】
（所定の条件３：放送時間）
続いて、所定の条件を満たす場合が、選択した放送番組の放送時間が所定の時間以下である場合について説明する。通常のＥＰＧの時刻セルの単位は１時間単位であるため、例えば５分番組などの放送時間の短い番組は、番組セルのサイズも小さくなり、選択していることが判別し難いという問題がある。
【００９０】
この問題を解決するために、本実施形態に係る電子番組表表示装置１００では、判定部１１１は、ユーザーにより選択された番組セルの放送番組の番組情報を不図示の記憶部より取得する。続いて、判定部１１１は、取得した番組情報に含まれる放送時刻に基づいて算出した放送時間と、予め設定されている所定の閾値とを比較することにより、選択された番組セルの放送番組の放送時間が所定の閾値以下であるか否かを判定する。そして、判定部１１１において選択された番組セルの放送番組の放送時間が所定の閾値以下であると判定された場合、強調表示設定部１１２は、選択された番組セルに対して特別強調表示を設定する。
【００９１】
所定の閾値は、電子番組表表示装置１００において予め設定されている固定値であってもよいし、ユーザーにより設定される任意の値であってもよい。
【００９２】
この場合の特別強調表示の表示形態としては、例えば、図３（ｃ）に示すような番組セルのセルサイズを拡大する表示形態であったり、図３（ｅ）または図３（ｆ）に示すような、番組セルの近傍にアニメーションを重畳するような表示形態などを挙げることができる。
【００９３】
このように、電子番組表表示装置１００では、放送時間が所定の閾値以下の放送番組を選択したときには、通常とは異なる表示形態の強調表示がなされるため、ユーザーが放送時間の短い放送番組を選択したときであっても、選択している放送番組がいずれであるのかを容易に認識することができる。また、番組セルのセルサイズを拡大するような強調表示を行う場合には、放送番組の内容を示すテキスト情報も同時に拡大されるため、放送番組の内容についても容易に確認することができる。
【００９４】
なお、放送時間が所定の閾値以上であっても、特別強調表示を設定してもよい。ただし、この場合には、放送時間が所定の閾値以下の場合に設定する特別強調表示の表示形態とは異なる表示形態とする。例えば、放送時間が所定の閾値以下に設定する特別強調表示が、番組セルのサイズを大きくする形態である場合、強調表示設定部１１２は、番組セルのセルサイズの拡大率を小さくするなどして変化をつけるようにすればよい。
【００９５】
（所定の条件４：ジャンル情報）
続いて、所定の条件を満たす場合が、選択した放送番組のジャンル情報が予め登録されているジャンル情報に含まれる場合である場合について説明する。
【００９６】
この場合、判定部１１１は、ユーザーにより選択された番組セルの放送番組を表す番組情報を不図示の記憶部より取得する。続いて、判定部１１１は、取得した番組情報に含まれるジャンル情報が設定情報管理部１３０に登録されているジャンル情報に一致するか否かを判定する。そして、判定部１１１において、取得した番組情報に含まれるジャンル情報が設定情報管理部１３０に登録されているジャンル情報に一致すると判定された場合、強調表示設定部１１２は、選択された番組セルに対して特別強調表示を設定する。なお、登録しておくジャンル情報は、ユーザーにより任意に選択されたものである。登録されるジャンル情報の数は特に限定されるものではなく、１つであってもよいし、複数であってもよい。
【００９７】
この場合の特別強調表示の表示形態としては、例えば、ジャンル情報により指定されるジャンルを示すジャンルアイコンのアニメーションを重畳して表示すると共に、番組セルの色をジャンルアイコンの注目色と同色に設定するような表示形態を挙げることができる。なお、ジャンルアイコンは、選択されている番組セルが変更されるまで永続的にアニメーションするようにしてもよいし、一定時間のみアニメーションするようにしてもよい。また、番組セルの色の変更についても同様に、選択されている番組セルが変更されるまで永続的に変更してもよいし、一定時間のみ変更してもよい。ジャンルアイコンのアニメーションについては、不図示の強調表示管理部に予め記録されているものを読み出して重畳するようにすればよい。
【００９８】
このように、電子番組表表示装置１００では、予め登録されているジャンル情報に一致するジャンル情報を含む番組情報の放送番組を選択した場合には、選択した放送番組が他とは異なる強調表示により強調される。これによって、ユーザーは、自身の登録したジャンル情報に一致するジャンル情報を含む放送番組を容易に識別することができる。例えば、ユーザーのお気に入りのジャンルに属する放送番組を、放送番組の内容を確認することなく、放送番組をフォーカス（選択）するのみで把握することができる。
【００９９】
なお、予め登録しておくジャンル情報に序列をつけておくことも可能である。例えば、ジャンル情報を、注目ジャンル、通常ジャンルおよび非注目ジャンルの３つのカテゴリに分類し、カテゴリ毎に異なる特別強調表示により強調表示されるようにしてもよい。例えば、注目ジャンルの場合には、上述したようにジャンルアイコンを永続的にアニメーションさせると共に、セルの色を変更し、通常ジャンルの場合には、ジャンルアイコンを一定時間のみアニメーションさせ、非注目ジャンルの場合には、ジャンルアイコンのアニメーションは使用せず、また番組セルの色も目立ちにくい淡色とするようにしてもよい。
【０１００】
この場合には、ユーザーが放送番組を選択するのみで、選択した放送番組のジャンルがユーザーがどの程度注目しているジャンルであるのかについても容易に認識することができる。
【０１０１】
（所定の条件５：キーワード）
続いて、所定の条件を満たす場合が、選択した放送番組の番組情報がキーワードとして予め登録されている文字情報を含む場合である場合について説明する。
【０１０２】
この場合、判定部１１１は、ユーザーにより選択された番組セルの放送番組を表す番組情報を不図示の記憶部より取得する。続いて、判定部１１１は、取得した番組情報に含まれる文字情報が、設定情報管理部１３０にキーワードとして登録されている文字情報を含むか否かを判定する。そして、判定部１１１において、取得した番組情報に含まれる文字情報にキーワードとして設定されている文字情報が含まれる場合、強調表示設定部１１２は、選択された番組セルに対して特別強調表示を設定する。
【０１０３】
なお、登録しておくキーワードは、ユーザーにより任意に設定されるものである。例えば、放送番組の名称であってもよいし、出演者、製作者の名前であってもよい。さらに、登録されているキーワードの数は特に限定されるものではなく、１つであってもよいし、複数であってもよい。
【０１０４】
また、番組情報に含まれる文字情報と予め登録されているキーワードとの一致は、完全一致であることが望ましいが、これに限定されるものではない。例えば、前方一致あるいは後方一致などの部分一致であってもよい。また、文字情報とキーワードとの一致を完全一致とするか部分一致とするかについては、ユーザーが適宜設定できるようにすればよい。
【０１０５】
この場合の特別強調表示の表示形態としては、例えば、選択した番組セルの色を通常強調表示のときの色とは異なる色に設定する表示形態、選択した番組セルのテキストをスクロールさせる表示形態、選択した番組セルのセルサイズを拡大する表示形態などを挙げることができる。
【０１０６】
このように、電子番組表表示装置１００では、選択した放送番組の番組情報に、予めキーワードとして登録されている文字情報が含まれている場合には、選択した放送番組が他とは異なる強調表示により強調される。これによって、ユーザーは、自身の登録したキーワードを含む放送番組を容易に識別することができる。例えば、ユーザーのお気に入りの放送番組を、放送番組の内容を確認することなく、放送番組をフォーカス（選択）するのみで把握することができる。
【０１０７】
（付記事項）
上述した説明では、所定の条件が各々独立している場合について説明しているが、所定の条件は上述した１〜５の条件を複合させた条件であってもよい。例えば、放送時間が所定の時間以下であり、かつ、番組情報が所定のキーワードを含む場合を所定の条件としてもよい。この場合、特別強調表示は、各々独立している場合とは異なる表示形態のものを設定するようにしてもよいし、各々の表示形態を同時あるいは時間差で表示するようにしてもよい。
【０１０８】
（テレビジョン受像機）
最後に、電子番組表表示装置１００を備えたテレビジョン受像機５００（単に、テレビ５００と称する）について図６を参照しつつ以下に説明する。図６は、電子番組表表示装置１００を備えたテレビジョン受像機５００の要部構成を示すブロック図である。
【０１０９】
デジタルチューナー部５１１は、アンテナ５１０において受信したデジタル放送を選局部５５０からの指示に基づいて選局し、デジタル復調部５１２に出力する。デジタル復調部５１２では、所定の形式（例えば、ＭＰＥＧ２−ＴＳ形式）のストリームデータに復調し、復調したストリームデータを分離器５１３に出力する。分離部５１３では、ストリームデータに含まれる映像データ、音声データ、放送データを分離、抽出する。なお、抽出された放送データに含まれるＥＰＧデータは、不図示の記憶部に記憶される。
【０１１０】
ビデオデコード／キャプチャ部５１４は、分離部５１３において分離された映像データをデコードすると共に、映像データに含まれるビデオ情報を静止画像としてキャプチャする。ビデオセレクタ部５１５では、必要に応じて、デコードした映像データをＤ／Ａ変換する。また、映像処理部５１６では、デコードした映像を処理する。ここでの処理としては、例えばｉ／ｐ変換を挙げることができる。
【０１１１】
同時に、ＥＰＧ／ＯＳＤ処理部５１９は、分離部５１３において抽出されたＥＰＧデータをデコードすることによりＥＰＧを生成する。また、ＥＰＧ／ＯＳＤ処理部５１９は、ＯＳＤ（オン・スクリーン・ディスプレイ）データに基いて、液晶表示装置６００において表示するＯＳＤを作成する。なお、ＥＰＧ／ＯＳＤ処理部５１９では、放送番組の録画予約または視聴予約についても処理する。
【０１１２】
続いて、ビデオ出力変換部５１７は、映像処理部５１６において処理された映像データおよびＥＰＧ／ＯＳＤ処理部５１８において処理されたＥＰＧおよびＯＳＤを映像出力信号に変換して、液晶表示装置６００に出力する。
【０１１３】
また、オーディオデコード部５１９は、分離部５１３において分離された音声データをデコードして、オーディオセレクタ部５２０に出力する。オーディオセレクタ部５２０では、必要に応じて、デコードした音声データをＤ／Ａ変換する。そして、オーディオ出力変換部５２１は、スピーカ７００から出力可能な形式に音声データを変換してスピーカ７００に出力する。
【０１１４】
なお、選局部５５０におけるチャンネル選局処理、分離部５１３における処理および各データのデコード処理は、メインＣＰＵ５５４がＲＡＭ５５１を用いて制御している。ＲＡＭ５５１はメインＣＰＵ５５４から直接読み書き可能な主記憶装置である。
【０１１５】
なお、上述した処理では、テレビ５００がデジタル放送信号を処理する場合について説明しているが、テレビ５００は、アナログ放送信号またはネットワークを介して取得可能なＩＰ放送、外部機器９００から取得したコンテンツデータについても処理することができる。
【０１１６】
例えば、アナログ放送の場合には、アナログチューナー部５０２は、アンテナ５０１において受信したアナログ放送を選局部５５０からの指示に基づいて選局し、ＡＶスイッチ部５０３に出力する。選局されたアナログ放送信号から映像データおよび音声データを抽出し、抽出した映像データをビデオセレクタ部５１５に出力すると共に、抽出した音声データをオーディオセレクタ部５２０に出力する。
【０１１７】
ビデオセレクタ部５１５では、映像データをＡ／Ｄ変換して映像処理部５１６に出力する。また、オーディオセレクタ部５２０では、音声データをＡ／Ｄ変換してオーディオ出力変換部５２１に出力する。なお、アナログ放送に対する処理を実行する場合には、ＥＰＧデータに対する処理は実行されない。
【０１１８】
続いて、例えば、ＩＰ放送の場合には、通信制御部５５２がネットワークを介して外部装置（例えば、サーバ装置）との接続を確立する。そして、テレビ５００は、ネットワークインターフェース部５３０を介して外部装置からＩＰ放送を受信する。ＩＰ放送チューナー部５３１は、受信したＩＰ放送をメインＣＰＵ５５４からの指示に基づいて選局し、分離部５１３に出力する。以下の処理については、デジタル放送の処理と同様であるため、詳細な説明については省略する。なお、ネットワークとしては、特に限定されるものではない。例えば、電話回線、ＬＡＮ、ＨＤＭＩケーブルなどを用いたネットワーク網を挙げることができる。
【０１１９】
また、外部機器（例えば、ハードディスクドライブ）に記録されているコンテンツデータは、メインＣＰＵ５５４からの指示に基づいて読み出され、ビデオセレクタ部５１５に入力される。以下は、デジタル放送の処理と同様であるため、詳細な説明については省略する。
【０１２０】
リモコン受光部５５３は、リモコン送信器８００から出力される制御信号を受け付ける情報入力部である。リモコン受光部５５３において受け付けられた制御信号に基づいて、メインＣＰＵ５５４は、選局部５５０におけるチャンネルの選局、描画するＯＳＤの変更などを指示する。
【０１２１】
なお、図１における制御部１１０は、図６におけるメインＣＰＵ５５４、ＲＡＭ５５１に相当するものであり、図１におけるＥＰＧ処理部１２０は、図６におけるＥＰＧ／ＯＳＥ処理部５１８に相当するものであり、図１における操作入力受付部１５０は、リモコン受光部５５３に相当するものであり、図１における表示部２００は、図６における液晶表示装置６００に相当するものである。なお、図６では、設定情報管理部１３０に相当する記憶部、タイマー１４０に相当する計時部については図示していないがテレビ５００に備えられているものとする。
【０１２２】
（プログラムおよび記録媒体）
最後に、電子番組表表示装置１００の制御部１１０に含まれる各ブロックは、ハードウェアロジックによって構成すればよい。または、次のように、ＣＰＵ（Ｃｅｎｔｒａｌ  Ｐｒｏｃｅｓｓｉｎｇ  Ｕｎｉｔ）を用いてソフトウェアによって実現してもよい。
【０１２３】
すなわち、の制御部１１０は、各機能を実現するプログラムの命令を実行するＣＰＵ、このプログラムを格納したＲＯＭ（Ｒｅａｄ  Ｏｎｌｙ  Ｍｅｍｏｒｙ）、上記プログラムを実行可能な形式に展開するＲＡＭ（Ｒａｎｄｏｍ  Ａｃｃｅｓｓ  Ｍｅｍｏｒｙ）、および、上記プログラムおよび各種データを格納するメモリ等の記憶装置（記録媒体）を備えている。この構成により、本発明の目的は、所定の記録媒体によっても、達成できる。
【０１２４】
この記録媒体は、上述した機能を実現するソフトウェアであるの制御部１１０のプログラムのプログラムコード（実行形式プログラム、中間コードプログラム、ソースプログラム）をコンピュータで読み取り可能に記録していればよい。の制御部１１０に、この記録媒体を供給する。これにより、コンピュータとしてのの制御部１１０（またはＣＰＵやＭＰＵ）が、供給された記録媒体に記録されているプログラムコードを読み出し、実行すればよい。
【０１２５】
プログラムコードをの制御部１１０に供給する記録媒体は、特定の構造または種類のものに限定されない。すなわちこの記録媒体は、たとえば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などとすることができる。
【０１２６】
また、電子番組表表示装置１００を通信ネットワークと接続可能に構成しても、本発明の目的を達成できる。この場合、上記のプログラムコードを、通信ネットワークを介して電子番組表表示装置１００に供給する。この通信ネットワークは電子番組表表示装置１００にプログラムコードを供給できるものであればよく、特定の種類または形態に限定されない。たとえばインターネット、イントラネット、エキストラネット、ＬＡＮ、ＩＳＤＮ、ＶＡＮ、ＣＡＴＶ通信網、仮想専用網（Ｖｉｒｔｕａｌ  Ｐｒｉｖａｔｅ  Ｎｅｔｗｏｒｋ）、電話回線網、移動体通信網、衛星通信網等であればよい。
【０１２７】
この通信ネットワークを構成する伝送媒体も、プログラムコードを伝送可能な任意の媒体であればよく、特定の構成または種類のものに限定されない。たとえばＩＥＥＥ１３９４、ＵＳＢ（Ｕｎｉｖｅｒｓａｌ  Ｓｅｒｉａｌ  Ｂｕｓ）、電力線搬送、ケーブルＴＶ回線、電話線、ＡＤＳＬ（Ａｓｙｍｍｅｔｒｉｃ  Ｄｉｇｉｔａｌ  Ｓｕｂｓｃｒｉｂｅｒ  Ｌｉｎｅ）回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお本発明は、上記プログラムコードが電子的な伝送で具現化された、搬送波に埋め込まれたコンピュータデータ信号の形態でも実現され得る。
【０１２８】
本発明は上述した実施形態に限定されるものではなく、請求項に示した範囲で種々の変更が可能であり、実施形態に開示された技術的手段を適宜組み合わせて得られる態様についても本発明の技術的範囲に含まれる。
【産業上の利用可能性】
【０１２９】
本発明に係る電子番組表表示装置は、テレビジョン受像機などの電子番組表の表示機能を有する映像表示装置に好適に利用することができる。
【符号の説明】
【０１３０】
１００        電子番組表表示装置
１１０        制御部
１１１        判定部
１１２        強調表示設定部（強調表示設定手段）
１２０        ＥＰＧ処理部
１３０        設定情報管理部
１４０        タイマー
１５０        操作入力受付部
２００        表示部
【図１】
2011078048.tif 000003
【図２】
2011078048.tif 000004
【図３】
2011078048.tif 000005
【図５】
2011078048.tif 000006
【図６】
2011078048.tif 000007
【図４】
2011078048.tif 000008